(57)【要約】【課題】サウナマットについてメンテナンスコストを増大させることなくサウナ利用者の快適な座り心地を維持しやすくする。【解決手段】厚さ方向に所定の弾力性を有した発泡樹脂シート１０からなりベンチ板２とサウナマット５の間に介装されるものであって、発泡樹脂シート１０の表面から裏面に貫通する貫通孔１１が所定の分布量で複数個設けられており、濡れたサウナマット５に利用者が着座することによりその尻圧で発泡樹脂シート１０が厚さ方向に弾性収縮して貫通孔１１の体積も所定割合以上縮小するものとされ、利用者が起立して発泡樹脂シート１０の厚さが復元するのに伴い貫通孔１１の体積が復元することで、その復元量に応じた水分をサウナマット５から貫通孔１１内に吸引するものとして、利用者の着座・起立動作に伴いポンプ機能を発揮しながらサウナマット５の水分を吸引し、その乾燥を促すことを特徴とするものとした。【選択図】図３
2017086856.tif 000002
【特許請求の範囲】
【請求項１】
厚さ方向に所定の弾力性を有した発泡樹脂シートからなりサウナ室のベンチ板と布製のサウナマットの間に介装されて所定のクッション性及び断熱性を発揮するサウナマット用下敷シートであって、前記発泡樹脂シートの表面から裏面に貫通する所定サイズの貫通孔が、少なくとも利用者の着座位置になる部分で所定の分布量となるように複数個設けられており、前記サウナマットが濡れた状態で前記利用者が着座することにより、その尻圧で着座位置の前記発泡樹脂シートが厚さ方向に弾性収縮してその位置の前記貫通孔の体積も所定割合以上縮小するものとされ、前記利用者が起立し前記発泡樹脂シートの厚さが復元するのに伴いその位置の前記貫通孔の体積が復元することで、その復元量に応じた水分を上方の前記サウナマットから前記貫通孔内に吸引するものとされており、前記利用者の着座・起立動作に伴いポンプ機能を発揮しながら前記サウナマットの水分を吸引して、その乾燥を促すことを特徴とするサウナマット用下敷シート。
【請求項２】
前記発泡樹脂シートは、厚さ６〜１５ｍｍの独立気泡型のものとされている、ことを特徴とする請求項１に記載したサウナマット用下敷シート。
【請求項３】
前記貫通孔は、円柱状に形成されて直径が４〜９ｍｍとされており、その分布量が前記貫通孔配置部分の表面積に対する前記貫通孔の合計開口面積の割合で４〜１０％とされている、ことを特徴とする請求項１又は２に記載したサウナマット用下敷シート。
【請求項４】
前記貫通孔は、その直径が５〜７ｍｍとされてその配置部分における面積１００平方ｃｍあたりの分布量が１５〜２５個とされている、ことを特徴とする請求項３に記載したサウナマット用下敷シート。
【請求項５】
前記貫通孔を設けた部分の前記弾力性は、面積１００平方ｃｍの円形かつ平坦な底面を有する２０ｋｇのウエイトを載せてから１０秒後にその厚さが１０％以上減少し、前記ウエイトを除去した５秒後には載せる前の厚さの９５％以上に復元するものとされている、ことを特徴とする請求項１，２又は３に記載したサウナマット用下敷シート。
【請求項６】
前記発泡樹脂シートは、無架橋発泡ポリエチレンからなることを特徴とする、請求項１，２，３，４又は５に記載したサウナマット用下敷シート。
【請求項７】
前記貫通孔の開口部分を除く裏面総てに亘ってシリコンゴムによるコート層が設けられている、ことを特徴とする請求項１，２，３，４，５又は６に記載したサウナマット用下敷シート。
【発明の詳細な説明】
【技術分野】
【０００１】
本発明は、サウナの利用者が座るサウナマットの下に敷いてサウナマットの快適な座り心地を維持するためのサウナマット用下敷シートに関する。
【背景技術】
【０００２】
サウナの利用者が座るベンチ板には、タオル生地等からなる布製のサウナマットが配置されるのが通常であり、これを使用することで利用者の肌が高温のベンチ板に直接触れることを回避しながら、その吸水性とクッション性により快適な座り心地を確保しようとしている。
【０００３】
しかし、そのサウナマットの上に濡れた体の利用者が複数人座った後では、次の利用者が座る際にサウナマットの吸水能を超えた水分が滲み出てくるため、座り心地が極めて悪い状態となってしまう。また、利用者にとって前の使用者の汗等で濡れたサウナマットに座ることには強い抵抗感を覚えるものである。さらに、一般的なタオル生地製のサウナマットはクッション性が比較的小さく、水で濡れることでそのクッション性が一層低下することになる。
【０００４】
これに対し、実登第３０１７０５２号公報には、マット本体の裏面に無数の小孔を全体に有した発泡樹脂による裏地材を重合してなるマットが記載されており、これをサウナマットとして使用することで、裏地材がマット本体の水分を吸水しながらそのクッション性に応じた所定レベルの座り心地を確保できるとも考えられる。
【０００５】
ところが、このマットの発泡樹脂からなる裏地材は、それ自体がスポンジのように吸水する構造であることに加え、その上をマット本体が覆っている構造であることから、裏地材に保持した水分の乾燥性が極めて悪いという難点があり、サウナマットとして使用した場合、裏地材に水を含んだ状態で上から荷重するとマット本体表面に水分が滲んでしまい、極めて座り心地の悪いものになってしまう。そのため、裏地材と一体になったマット本体を比較的短時間で交換する必要が生じて、その洗浄・乾燥に余分な手間と時間を要することになる。
【０００６】
一方、特開平５−１３７６６１号公報には、複数枚の独立気泡型発泡シートが積層されてなりその表面から裏面に貫通する水抜き小孔が設けられた浴室スノコが記載されている。この浴室スノコは、表面から裏面に貫通した水抜き小孔が複数個設けられた構造により、表面側にある水分を裏側に排水できるようにしたものである。
【０００７】
そこで、このような浴室スノコをサウナマットの下敷として使用することを想定した場合は、その上に濡れたサウナマットを乗せた状況では小孔部分の上に滲んだ水分を受動的に排水するのみであり、サウナマットに含有している水分を積極的に吸い出す機能を有していないため、サウナ利用者の座り心地を改善する効果は殆ど期待できないものである。
【先行技術文献】
【特許文献】
【０００８】
【特許文献１】実登第３０１７０５２号公報
【特許文献２】特開平５−１３７６６１号公報
【発明の概要】
【発明が解決しようとする課題】
【０００９】
本発明は、上記のような問題を解決しようとするものであり、サウナマットに
ついてメンテナンスコストを増大させることなくサウナ利用者の快適な座り心地を維持しやすくすることを課題とする。
【課題を解決するための手段】
【００１０】
そこで、本発明は、厚さ方向に所定の弾力性を有した発泡樹脂シートからなりサウナ室のベンチ板と布製のサウナマットの間に介装されて所定のクッション性及び断熱性を発揮するサウナマット用下敷シートであって、その発泡樹脂シートの表面から裏面に貫通する所定サイズの貫通孔が、少なくとも利用者の着座位置になる部分で所定の分布量となるように複数個設けられており、サウナマットが濡れた状態で利用者が着座することにより、その尻圧で着座位置の発泡樹脂シートが厚さ方向に弾性収縮してその位置の貫通孔の体積も所定割合以上縮小するものとされ、利用者が起立し発泡樹脂シートの厚さが復元するのに伴ってその位置の貫通孔の体積が復元することで、その復元量に応じた水分を上方のサウナマットから貫通孔内に吸引するものとされており、利用者の着座・起立動作に伴いポンプ機能を発揮しながらサウナマットの水分を吸引して、濡れたサウナマットの乾燥を促すことを特徴とするものとした。
【００１１】
このように、所定の断熱性及びクッション性を有した発泡樹脂シートをサウナマットの下敷として使用することで使用者の座り心地を確保しやすいものとなるが、その発泡樹脂シートに所定の弾力性を有したものを使用するとともに複数個の貫通孔を設けて利用者の着座・起立動作に伴うポンプ機能を発揮させ、上方のサウナマットの水分を貫通孔内に能動的に吸引する構成としたことにより、サウナマットの乾燥を促進しながらその座り心地を長時間に亘って良好に維持しやすいものとなって、サウナマットの交換頻度を低減することが可能となる。
【００１２】
また、このサウナマット用下敷シートに用いる発泡樹脂シートは、厚さ６〜１５ｍｍの独立気泡型のものとされていることを特徴としたものとすれば、その弾力性により適度なクッション性と座り午心地を確保しながら充分なるポンプ機能を発揮しやすいものとなる。
【００１３】
さらに、上述したサウナマット用下敷シートにおいて、その貫通孔は、円柱状に形成されて直径が４〜９ｍｍとされており、その分布量が貫通孔配置部分の表面積に対する貫通孔の合計開口面積の割合で４〜１０％とされていることを特徴としたものとすれば、優れた吸水機能を発揮可能なものとなる。
【００１４】
この場合、前記貫通孔は、その直径が５〜７ｍｍとされておりその配置部分における面積１００平方ｃｍあたりの分布量が１５〜２５個とされている、ことを特徴としたものとすれば、一層優れた吸水機能を発揮しやすいものとなる。
【００１５】
さらにまた、上述したサウナマット用下敷シートにおいて、その貫通孔を設けた部分の前記弾力性は、面積１００平方ｃｍの円形かつ平坦な底面を有する２０ｋｇのウエイトを載せてから１０秒後にその厚さが１０％以上減少し、前記ウエイトを除去した５秒後には載せる前の厚さの９５％以上に復元するものとされている、ことを特徴としたものとすれば、その弾性復元力により優れたポンプ機能を発揮可能なものとなる。
【００１６】
加えて、上述したサウナマット用下敷シートにおいて、その発泡樹脂シートは、無架橋発泡ポリエチレンからなることを特徴としたものとすれば、柔軟性・断熱性に優れていることに加え、耐薬品性・耐熱性・撥水性・防湿性に優れたものとなるため、高温環境で塩素を含んだ水に曝されるサウナ室内での使用に適したものとなる。
【００１７】
また加えて、上述したサウナマット用下敷シートにおいて、その貫通孔の開口部分を除く裏面の総てには、シリコンゴムによるコート層が設けられていることを特徴としたものとすれば、ベンチ板の上で滑りにくくなることに加え、前記貫通孔の裏面側開口部分周辺のシール性が高まって、ポンプ機能をさらに発揮しやすいものとなる。
【発明の効果】
【００１８】
所定の弾力性を有した発泡樹脂シートをサウナマットの下敷として使用するものとして、複数個の貫通孔を設けて利用者の着座・起立動作によりポンプ機能を発揮しながらサウナマットの水分を貫通孔内に吸引する構成とした本発明によると、サウナマットのメンテナンスコストを増大させることなくサウナ利用者の快適な座り心地を維持しやすいものとなる。
【図面の簡単な説明】
【００１９】
【図１】本発明における実施の形態であるサウナマット用下敷シートの平面図である。
【図２】図１のＸ−Ｘ線に沿う拡大した部分断面図である。
【図３】図１のサウナマット用下敷シートの機能を説明するための拡大した部分断面図であって、（Ａ）は利用者が座る前の状態、（Ｂ）は利用者が座っている状態、（Ｃ）は利用者が立ち上がった状態である。
【図４】本発明における実施例１において図１のサウナマット用下敷シートを実際に作成して実証実験を行った状態を示す図面代用写真であり、配置したサウナマット用下敷シートが見えるようにサウナマットの一部をめくった状態である。
【図５】本発明における実施例２において吸水性試験を行った結果のグラフである。
【図６】本発明における実施例２において乾燥性試験を行った結果のグラフである。
【図７】本発明における実施例２においてベンチ板の乾燥性試験を行った結果のグラフである。
【発明を実施するための形態】
【００２０】
以下に、図面を参照しながら本発明を実施するための形態を説明する。
【００２１】
図１は、本実施の形態であるサウナマット用下敷シート１を平面図で示しており、図２は図１のＸ−Ｘ線に沿う拡大した部分断面図を示している。このサウナマット用下敷シート１は、タオル生地等による布製のサウナマットとサウナ室のベンチ板（木材）との間に介装し、サウナマットのみでは不充分なクッション性及び断熱性を改善することで、サウナ利用者の快適な座り心地を確保するために使用されるものであるが、斯かる機能に加えてサウナマットの水分を積極的に吸引することにより、その肌触りを改善しながらサウナマットの乾燥を促進させる機能を発揮する点を特徴としている。
【００２２】
即ち、本実施の形態のサウナマット用下敷シート１は、６〜１５ｍｍの厚さを有して厚さ方向に所定の弾力性を有した発泡樹脂シート１０からなり、その発泡樹脂シート１０の表面から裏面に貫通する直径４〜９ｍｍで円柱状の貫通孔１１が、その配置部分における発泡樹脂シート１０の表面積に対する貫通孔１１の合計開口面積の割合で４〜１０％となるように、発泡樹脂シート１０の上面総てに亘って均一に開口するように設けられている。
【００２３】
そして、その上に配置されたサウナマットが濡れた状態で利用者が着座することにより、その尻圧で着座位置の発泡樹脂シート１０が厚さ方向に弾性収縮し、その位置の貫通孔１１の体積も所定割合以上縮小するものとされ、その後、利用者が起立して発泡樹脂シート１０の厚さが復元するのに伴い、その位置の貫通孔１１の体積が復元することで、その復元量に応じた水分を上方のサウナマットの内部から貫通孔１１内に吸引するようになっている。
【００２４】
斯かる発泡樹脂シート１０としては、吸湿性が少なく適度な弾力性により優れたポンプ機能（吸盤作用）を発揮させる観点から、独立気泡型の発泡樹脂シートが好適であり、殊に、無架橋発泡ポリエチレンからなるものが最適である。尚、本実施の形態において発泡樹脂シート１０の厚さを６〜１５ｍｍとしたのは、様々な態様で試験した結果に基いて、サウナマットの下敷として使用する使い勝手とクッション性のバランス、及び後述するその弾力性に基づくポンプ機能を確保することを考慮したものである。
【００２５】
また、貫通孔１１の直径を４〜９ｍｍとしたのは、これよりも大きいと貫通孔１１内に尻の皮膚が嵌入して座り心地が悪いものとなり、これよりも小さいと貫通孔内の汚れの除去が不充分になりやすく、洗浄に手間を要してしまうからである。尚、前述のように、発泡樹脂シート１０の厚さが６〜１５ｍｍの本実施の形態の場合、その発泡樹脂シート１０の厚さよりも小さい直径５〜７ｍｍの貫通孔１１とすることが一層好ましい。
【００２６】
その貫通孔１１の分布量としては、その配置位置における面積１００平方ｃｍあたり１５〜２５個の範囲とすることが好ましく、例えば４５０ｍｍ×１０００ｍｍ、厚さ１０ｍｍの発泡樹脂シート１０において直径６ｍｍの貫通孔１１をその全面に亘って設ける場合、互いに等間隔の配置にて合計９００個程度を均一の分布量にて設けることが推奨される。
【００２７】
本発明において、サウナマット用下敷シート１の弾力性は、その貫通孔１１を設けた部分において、充分なポンプ機能を確保する観点から面積１００平方ｃｍの円形かつ平坦な底面を有する２０ｋｇのウエイトを載せてから１０秒後にその厚さが１０％以上減少し、前記ウエイトを除去した５秒後には載せる前の厚さの９５％以上に復元するものであることが好ましいが、殊に、厚さ６〜１５ｍｍで独立気泡型発泡樹脂製のものを用いる本実施の形態では、前記弾力性を有していることにより、一層優れたポンプ機能を発揮可能なものとなる。
【００２８】
次に、図３を参照して本実施の形態のサウナマット用下敷シート１の機能を説明する。図３（Ａ）は、サウナ室のベンチ板２の上に配置したサウナマット５の下にサウナマット用下敷シート１を介装した状態を拡大した部分縦断面図で示している。この状態においては、利用者はサウナマット５の上に着座していないが、それまでの複数人の濡れた利用者の使用により、サウナマット５はある程度濡れた状態となっている。
【００２９】
図３（Ａ）の状態から、次の利用者がサウナマット５の上に着座して押圧することにより、図３（Ｂ）の状態になる。このとき、その押圧力（尻圧）によりサウナマット５とサウナマット用下敷シート１を構成する発泡樹脂シート１０は厚さ方向に収縮するが、サウナマット５に含まれている少量の水分が貫通孔１１を介してベンチ板２上面側まで移動し、貫通孔１１下端側開口部の周縁で封水部５０を形成する。
【００３０】
その後、利用者が立ち上がることで、図３（Ｃ）に示すように発泡樹脂シート１０はその弾性復元力により短時間でほぼ元の厚さに戻る。その際、各貫通孔１１の下端側開口部は、封水部５０によりベンチ板２表面に対し密着しながら封水（密閉）した状態となるため、貫通孔１１の体積が拡大することでタコの吸盤のような吸引力を生じて貫通孔１１開口部側のサウナマット５を吸い付けながら、それに含まれる水分５１を貫通孔１１内に吸引し、下方向に移動させるポンプ機能を発揮する。
【００３１】
サウナマット用下敷シート１が発揮する上述したポンプ機能により、サウナマット５に含有している水分を顕著に減少させる結果となるため、次の利用者が表面に触れたときの不快感を大幅に低減させることができる。また、サウナマット５に含有する水分を大きく減少させながらベンチ板の上で支持した状態を維持することになるため、そのサウナ室内での乾燥を促す効果も期待できる。
【００３２】
さらに、図３（Ｃ）に示したように、本実施の形態のサウナマット用下敷シート１は、その貫通孔１１内に水分を吸引してベンチ板２表面側に保持するものであるが、貫通孔１１が上下に貫通していることに加えこれを覆うサウナマット５が短時間で乾燥することにより、貫通孔１１内に保持した水分５１も比較的短時間で乾燥することになる。
【００３３】
尚、図示は省略するが、上述したサウナマット用下敷シート１において、貫通孔１１の開口部分を除く裏面の総てにシリコンゴムによるコート層を設けたものとすれば、ベンチ板の上で滑りにくくなることに加え、貫通孔１１の裏面側開口部分周辺のシール性が高まることから、ポンプ機能をさらに発揮しやすいものとなる。
【実施例１】
【００３４】
以下に、図１で示したサウナマット用下敷シート１と同様のものを作成して、サウナ室で実際に使用しながらその効果を検証した結果について説明する。
【００３５】
作成したサウナマット用下敷シートは、酒井化学社製の無架橋発泡ポリエチレンシート（ミナフォーム：登録商標）の厚さ５ｍｍを２枚貼り合わせて厚さ１０ｍｍとしたもの（銘柄１１００）を４５０ｍｍ×１０００ｍｍに裁断するとともに、その全面に亘って直径６ｍｍの貫通孔を均一の分布量にて９００個設けて作成した。尚、その弾力性については、貫通孔を設けた状態で、面積１００平方ｃｍの円形で平坦な底面を有した２０ｋｇのウエイトを載せてから１０秒後にはその厚さが１５％減少し、前記ウエイトを除去した５秒後には、ほぼ載せる前の厚さ（１００％）に復元することを確認した。
【００３６】
そして、図４の左写真に示すように、このサウナマット用下敷シートをサウナ室のベンチ板の上に配置し、これよりも大きなタオル生地製のサウナマットで総て覆った状態で使用した。図４の右写真は利用者が座った後でその位置のサウナマットをめくった状態であり、その座った部分のサウナマットが湿った状態になっていることが分かる。
【００３７】
そして、このサウナマット用下敷シートをサウナマットに併用する日と併用しないサウナマットのみの日を分けて、各々５日間使用した。そして、一日当たりのサウナマットの平均交換枚数を各々算出した。尚、交換のタイミングはサウナマットの濡れ具合に応じてサウナ室管理者の判断により決定した（通常通りの交換タイミング）。
【００３８】
（結果）本実施の形態によるサウナマット用下敷シートを用いた実験例では、サウナマットの一日平均交換枚数が５枚であったのに対し、サウナマット用下敷シートを使用しない例でのサウナマットの一日平均交換枚数は７枚であった。
【００３９】
前述の結果から、本実施の形態によるサウナマット用下敷シートを用いることで、サウナマットの交換頻度を顕著に低減できることが分かった。したがって、本実施の形態によるサウナマット用下敷シートは、サウナ利用者における良好な座り心地の維持について有効であり、且つ、サウナマット交換のための手間及びコストを顕著に削減できるものと考えられる。
【実施例２】
【００４０】
次に、本発明のサウナマット用下敷シートの機能性についてさらに詳細に検証する目的で以下のような実験を行った。実験に使用したのは、前述した実験に用いたものと同一の孔空きサウナマット用下敷シート（孔有り）、孔のない点以外は前記サウナマット用下敷シートと同様の下敷シート（孔無し）、Ａ４サイズにカットしたタオル生地製のサウナマット、ベンチ板（木板を５０ｃｍ×５０ｃｍ×１０ｃｍのスノコ状に形成したもの）、木板（５０ｃｍ×５０ｃｍ×９ｍｍ）である。重量測定には総てエー・アンド・デイ社製ＥＷ−１２Ｋｉを用いた。
【００４１】
（吸水性試験）使用者の使用感とサウナマットの交換頻度に関して影響の大きい要素であるサウナマットからの吸水性について、サウナマットに１３０ｇの水を含ませた状態にして、Ａ：サウナマットをベンチ板の上に直接配置（シート無し）、Ｂ：ベンチ板の上に孔無しのサウナマット用下敷シートを敷いた上に配置（孔無し）、Ｃ：ベンチ板の上に孔有りのサウナマット用下敷シートを敷いた上に配置（孔有り）した状態にして、各々サウナマットに座って起立する尻圧負荷動作を１００回繰り返し、１０回ごと（１〜５回目までは毎回）にその重量を測定しながら、サウナマットに含まれる水分の低下量を記録した。
【００４２】
その結果を図５のグラフに示す。グラフから分かるように、尻圧回数が多くなるに従って、水分量の低下が大きくなる傾向は総て共通しているが、ＡとＢにおける水分低下量は近似しているのに対し、Ｃの孔のあるサウナマット用下敷シートの場合は、Ａ，Ｂの状況と比較して約２倍の水分量の低下がみられた。
【００４３】
（乾燥性試験）使用者の使用感とサウナマットの交換頻度に関して前述と同様に影響の大きい要素であるサウナマットの乾燥性について、以下のような試験を実施した。前述の吸水性試験と同じ条件のＡ，Ｂ，Ｃについて、室温８０度・湿度１０％（サウナ室とほぼ同様）の条件とした恒温恒湿室（日立アプライアンス社製ＥＲ−１０５ＥＸＭＨＨ−Ｒ）にて１２０分まで１０分ごとにサウナマットの乾燥状態を測定した。その結果、図６のグラフに示すように、Ａ，Ｂ，Ｃの３つの条件においてその乾燥状態に有意な差は見られなかった。
【００４４】
（ベンチ板の乾燥性試験）ベンチ板の耐久性（耐用年数）に関して影響の大きい要素とされるベンチ板の乾燥性について、以下のような試験を行った。上述したＡ，Ｃの条件において、前述のスノコ状のベンチ板の代わりに５０ｃｍ×５０ｃｍ×９ｍｍの木板を使用して、各々着座・起立の動作により１０回尻圧をかけることでベンチ板に見立てた木板に水分を含ませた後、室温８０度・湿度１０％の恒温恒湿室（ダバイエスペック社製ＴＢＥ）にて乾燥させながら、経過時間毎の板の乾燥量を測定した。
【００４５】
その結果を図７のグラフに示す。グラフから分かるように、サウナマット用下敷シートのないＡの条件では、１８０分経過までは水分量の変化は殆どなく、２１０分経過後に水分量が急激に低下した。これに対し、サウナマット用下敷シート（孔有り）のあるＣの条件では、時間の経過とともに水分量が減少して１００分程度でほぼ乾燥状態となり、シート無しのＡと比べて約半分の乾燥時間であった。
【００４６】
（クッション性試験）使用者の使用感に関して影響の大きい要素である着座位置におけるクッション性について、以下のような試験を実施した。複合材料試験機（インストロン社製５８６５）を用い、直径１５０ｍｍの円盤を圧縮用治具として、上述した試験で用いた孔有りと孔無しのサウナマット用下敷シートを各々上下から挟み、１０ｍｍ／分の速度で１０００Ｎ（１０２ｋｇｆ）の荷重になるまで圧縮して、両者の変化を測定した。その結果を以下の表１に示す。
【００４７】
【表１】
2017086856.tif 000003
【００４８】
表１から分かるように、元の厚さに対して、圧縮荷重１００ｋｇｆでは孔無しが６１％、孔有りが５８％まで元の厚さに対して薄くなっており、孔を設けたことでクッション性が５％程度増加していることが分かった。尚、この試験では、５Ｎの初期荷重を加えてからスタートさせ、試験後にスタート位置に戻した時点で４Ｎの荷重を有していたことから、ほぼ元の厚さに戻っていることになる。
【００４９】
（考察）上述した試験結果から、所定の弾力性を有した発泡性樹脂シートに所定サイズの貫通孔を所定の分布頻度で設けたことで、それに密着したサウナマットの水分がその吸盤作用により能動的に吸水されたものと考えられ、且つ、貫通孔が適度に分布していることでクッション性も向上したものと考えられる。また、このような機能を有したサウナマット用下敷シートをサウナマットとベンチ板の間に介装したことで、ベンチ板の乾燥性向上にも繋がったものと考えられるが、これによりベンチ板の張替え工事の頻度について削減効果が期待されるものである。
【００５０】
以上、述べたように、サウナマットについて、本発明によりメンテナンスコストを増大させることなく、サウナ利用者の快適な座り心地を維持しやすくすることが可能となった。
【符号の説明】
【００５１】
１  サウナマット用下敷シート、２  ベンチ板、５  サウナマット、１０  発泡樹脂シート、１１  貫通孔、５０  封水部、５１  水分
【図１】
2017086856.tif 000004
【図２】
2017086856.tif 000005
【図３】
2017086856.tif 000006
【図４】
2017086856.tif 000007
【図５】
2017086856.tif 000008
【図６】
2017086856.tif 000009
【図７】
2017086856.tif 000010